(57)【要約】      （修正有）【課題】電子機器の収納部およびカバー部材の寸法誤差を許容して、高い防水性を実現するカバー部材を提供する。【解決手段】電子機器１に被収納物２を収納する収納部３を覆うように固定されるカバー部材１０であって、収納部３の外側を囲むと共に収納部３側に突出するループ状の突起部２１，２２を、内外方向に間隔を設けて２以上備え、２以上の突起部２１，２２は、少なくともその先端または側面にシール部材２３を有するカバー部材１０としている。【選択図】図６
2012195364.tif 000002
【特許請求の範囲】
【請求項１】
電子機器に脱着可能な被収納物を収納するための収納部を覆うように固定されるカバー部材であって、
上記収納部の外側を囲むと共に収納部側に突出するループ状の突起部を、内外方向に間隔を設けて２以上備え、
２以上の上記突起部は、少なくともその先端または側面にシール部材を有することを特徴とするカバー部材。
【請求項２】
請求項１に記載のカバー部材であって、
２以上の前記突起部において、それぞれに備える前記シール部材の先端位置が異なることを特徴とするカバー部材。
【請求項３】
請求項１または請求項２に記載のカバー部材であって、
前記シール部材は、その表面に耐異物付着性、滑り性および撥水性の内、少なくともいずれか１つを向上させるための被覆層を有することを特徴とするカバー部材。
【請求項４】
被収納物を収納するための収納部と、
上記収納部を覆うカバー部材と、を有し、
上記収納部は、その外側を囲む溝を備え、
上記カバー部材は、上記溝と対向する位置に、上記収納部の外側を囲むと共に上記収納部側に突出するループ状の突起部を、内外方向に間隔を設けて２以上備え、
２以上の上記突起部は、少なくともその先端にシール部材を有し、上記カバー部材を上記収納部に取り付けると、上記２以上の突起部は、上記溝に挿入され、上記溝の内側側面および底面の少なくとも１箇所以上でシール部材を介して接触することを特徴とする電子機器。
【発明の詳細な説明】
【技術分野】
【０００１】
本発明は、収納部を覆うカバー部材およびそれを備える電子機器に関する。
【背景技術】
【０００２】
近年、携帯電話等の電子機器において、防水機能等が求められる場合がある。電子機器に防水機能を付与するには、少なくとも、被収納物の出し入れの度に開閉するカバー部材と収納部との隙間から水が入りこまないようにする必要がある。たとえば、電池収納部へ水が入り込まないようにするために、電池収納部カバーに弾性体を有する環状の突起部を備え、電池収納部にその弾性体が圧入される溝を備える構造が知られている（例えば、特許文献１を参照）。
【先行技術文献】
【特許文献】
【０００３】
【特許文献１】特開２００８−２８８１７４
【発明の概要】
【発明が解決しようとする課題】
【０００４】
特許文献１に開示される構造によれば、弾性体を有する突起部が溝に挿入されることで、弾性体と溝の内側とが密着し、外部から収納部への水の侵入を防ぐことができる。しかし、収納部およびその収納部用のカバー部材を製造する上では、それらの寸法に誤差が生じる場合がある。収納部またはカバー部材に寸法誤差が生じた場合、突起部が溝に入りにくくなることにより、あるいは、溝の内面と弾性体の外面との間に隙間が生じることにより、防水性能が低下する危険性がある。
【０００５】
本発明は、かかる問題を解消すべくなされたものであって、電子機器の収納部およびカバー部材の寸法誤差を許容して高い防水性を実現することのできるカバー部材およびそれを備える電子機器を提供することを目的とする。
【課題を解決するための手段】
【０００６】
上記目的を達成するため、本発明の一実施の形態は、電子機器に被収納物を収納する収納部を覆うように固定されるカバー部材であって、収納部の外側を囲むと共に収納部側に突出するループ状の突起部を、内外方向に間隔を設けて２以上備え、２以上の突起部は、少なくともその先端または側面にシール部材を有するカバー部材としている。
【０００７】
また、２以上の突起部において、それぞれに備えるシール部材の先端位置が異なるのが好ましい場合もある。
【０００８】
さらに、シール部材は、その表面に耐異物付着性、滑り性および撥水性の内、少なくともいずれか１つを向上させるための被覆層を有するのがより好ましい。
【０００９】
本発明の別の一実施の形態は、被収納物を収納する収納部と、収納部を覆うカバー部材と、を有し、収納部は、その外側を囲む溝を備え、カバー部材は、溝と対向する位置に、収納部の外側を囲むと共に収納部側に突出するループ状の突起部を、内外方向に間隔を設けて２以上備え、２以上の突起部は、少なくともその先端にシール部材を有し、カバー部材を収納部に取り付けると、２以上の突起部は、溝に挿入され、溝の内側側面および底面の少なくとも１箇所以上でシール部材を介して接触する電子機器としている。
【発明の効果】
【００１０】
本発明によれば、電子機器の収納部およびカバー部材の寸法誤差を許容して、高い防水性を実現することができる。
【図面の簡単な説明】
【００１１】
【図１】本発明の実施の形態に係る携帯電話機を開いた状態で、その背面側から見た場合の斜視図である。
【図２】図１に示す携帯電話機を閉じた状態で、その背面側から見た場合に、電池の収納状況を示す分解斜視図である。
【図３】図２に示すカバー部材を、電池に対向する面側から見た場合の分解斜視図である。
【図４】図３に示すカバー部材を、電池に対向する面側から見た場合の平面図である。
【図５】図１に示す携帯電話機をＡ−Ａ線で切断し、電池が収納された本体と、カバー部材とを別々に示す断面図である。
【図６】図１の携帯電話機のＡ−Ａ線断面図である。
【図７】図６の本体およびカバー部材に寸法誤差が生じたときの図６のＢで示す部分の拡大断面図である。
【図８】図７に示す場合と異なる場合であって、図６の本体およびカバー部材に寸法誤差が生じたときの図６のＢで示す部分の拡大断面図である。
【図９】本発明の変形例に係る携帯電話機について、図６のＢと同様の領域を示す拡大断面図である。
【発明を実施するための形態】
【００１２】
次に、本発明のカバー部材およびそれを備える電子機器の各実施の形態について、図面を参照しながら説明する。なお、以下、電子機器の実施の形態を説明する中で、カバー部材の実施の形態についても説明する。
【００１３】
（電子機器の構成）
図１は、本発明の実施の形態に係る携帯電話機１を開いた状態で、その背面側から見た場合の斜視図である。
【００１４】
本発明の実施の形態に係る電子機器の一例である携帯電話機１は、折りたたみ型の機器であり、操作部を備える本体１ａおよびディスプレイを備えるディスプレイ部１ｂを有する。本体１ａおよびディスプレイ部１ｂは、それぞれ薄い略直方体であり、それらは、回動部を介して回動可能に結合された構造を有する。また、本体１ａは、操作面と逆側（以下、背面側という。）に、着脱可能なカバー部材１０を有する。カバー部材１０は、本体１ａの筺体の一部を構成することから、カバー部材１０は、本体１ａの背面と同じ部材から構成されるのが好ましい。
【００１５】
図２は、図１に示す携帯電話機１を閉じた状態で、その背面側から見た場合に、電池２の収納状況を示す分解斜視図である。
【００１６】
本体１ａは、被収納物としての電池２を収納する収納部３を有する。本体１ａは、電池２の外周と略同一の内周を有すると共に収納部３を囲む内壁４を有している。電池２は、薄い略直方体であり、内壁４の内側に収納される。内壁４の内周と電池２の外周とが略同一である場合には、振動等により電池２が収納部３内にて動かないため、より好ましい。
【００１７】
また、本体１ａは、内壁４と離間して、内壁４の外周を取り囲む外壁５を有している。内壁４の外周と外壁５の内周との間には、１つの溝６が形成されている。また、外壁５は、その外周を取り囲むように、外周側に突出する係止用突起７を有している。さらに、本体１ａは、外壁５の外周に、略水平な外周面８を有している。
【００１８】
カバー部材１０は、たとえば、幅が４０ｍｍで長さが６１ｍｍ程度の薄いトレイ形状の成型体である。カバー部材１０は、収納部３に収納された電池２を覆うように、本体１ａに装着される。本体１ａおよびカバー部材１０は、カバー部材１０が本体１ａに装着された際に、本体１ａの背面および両側面が共に略平面になるように構成されている。
【００１９】
また、カバー部材１０は、その外周の一部に側壁１１を有している。側壁１１は、カバー部材１０の外周のうち、本体１ａに取り付けられた状態において本体１ａの側面を形成する部分に設けられている。カバー部材１０の外周のうち、側壁１１が設けられていない辺は、外側に突出する爪部１２を有する。爪部１２は、本体１ａに形成された係合凹部（不図示）に挿入可能な位置と形状にて形成されている。また、カバー部材１０は、本体１ａに取り付けられた状態において本体１ａの背面部分に、その背面からわずかに突出する線状の凸部１３を備える。凸部１３は、ユーザがカバー部材１０を着脱しやすいように形成されている。
【００２０】
図３は、図２に示すカバー部材１０を、電池２に対向する面側から見た場合の分解斜視図である。図４は、図３に示すカバー部材１０を、電池２に対向する面側から見た場合の平面図である。なお、図３および図４においては、シール部材２３の図示を省略している。
【００２１】
側壁１１は、その内周面に、内周側に突出する係止爪１４を有している。また、カバー部材１０は、側壁１１の内側の平坦部１５に、支持部材２０を有する。支持部材２０は、接着剤等により、平坦部１５に固着される。平坦部１５は、支持部材２０を取り付ける際の位置決めを容易にするために、支持部材２０を固着する位置の外周部分にリブ（不図示）を有してもよい。
【００２２】
支持部材２０は、その外周にループ状の突起部としての外側突起２１を有する。また、支持部材２０は、外側突起２１の内側に、ループ状の別の突起部としての内側突起２２を有する。外側突起２１および内側突起２２の先端およびその側面は、シール部材２３を有する。具体的には、シール部材２３は、外側突起２１および内側突起２２の尾根状先端部に形成されると共に、外側突起２１および内側突起２２の先端側外周面および先端側内周面にもそれぞれ形成されている。
【００２３】
支持部材２０は、たとえば、その平面部が約０．２〜０．６ｍｍの厚さの部材である。支持部材２０は、防水性の部材であればどのようなものから主に構成されてもよい。たとえば、支持部材２０は、ポリカーボネート等の樹脂またはアルミニウム等の金属により主に構成される。
【００２４】
シール部材２３は、圧接されることにより溝６の内面に対し密着できるように、柔軟性に富む樹脂あるいはエラストマーにて主に形成される。シール部材２３を構成するエラストマーとしては、例えば、シリコーンゴム、ウレタンゴム、エチレンプロピレンジエンゴム（ＥＰＤＭ）、フッ素ゴム、ニトリルゴム（ＮＢＲ）、天然ゴム等を好適に用いることができる。また、シール部材２３は、支持部材２０と接着可能な接着性のシリコーン樹脂を、支持部材２０の先端部に射出成型して形成されてもよい。
【００２５】
図５は、図１に示す携帯電話機１をＡ−Ａ線で切断し、電池２が収納された本体１ａと、カバー部材１０とを別々に示す断面図である。図６は、図１の携帯電話機１のＡ−Ａ線断面図である。なお、図５およびそれ以後の断面図では、見易さを考慮して、各部材の厚さの比率を実際の比率と変えて図示している。
【００２６】
カバー部材１０を本体１ａに取り付けると、外側突起２１および内側突起２２は、溝６の内部に挿入される。外側突起２１および内側突起２２が備えるシール部材２３は、それぞれ、溝６の内側面および底面の両方に圧接する。シール部材２３は、溝６の側面および底面の両方に圧接することにより、外部からの異物（水等）が収納部３の内部に入らないように収納部３の周囲を効果的に封止できる。
【００２７】
また、カバー部材１０を本体１ａに取り付けると、本体１ａの係止用突起７が、カバー部材１０の係止爪１４に引っ掛かることにより、カバー部材１０は、係止される。
【００２８】
シール部材２３は、耐異物付着性、滑り性および撥水性の少なくともいずれか１つを向上させる等のために、その表面にシール部材２３とは別の部材による被覆層２４を有しているのが好ましい。被覆層２４は、たとえば、フッ素含有樹脂により形成されていてもよい。
【００２９】
図７および図８は、図６の本体１ａおよびカバー部材１０に寸法誤差が生じたときの、図６のＢで示す部分の拡大断面図である。
【００３０】
上述のような携帯電話機１の構成により、本体１ａおよびカバー部材１０に寸法誤差が生じた場合にも、その寸法誤差を許容して、高い防水性を実現できる。
【００３１】
ここで、図７に示すように、寸法誤差により、内壁４が内周側にずれている、あるいは、内側突起２２が外周側にずれている場合を想定する。かかる場合には、外側突起２１は、溝６の内側面および底面と圧接し、内側突起２２は、溝６の底面と圧接する。したがって、上述の携帯電話機１では、３箇所にて水の侵入を防止できる。また、内壁４が内周側にずれている、若しくは、内側突起２２が外周側にずれていることに加えて、寸法誤差により溝６の深さが大きくなり、外側突起２１および内側突起２２が溝６の底面に圧接しない場合にも、少なくとも外側突起２１が溝６の内側面と圧接するため、外部からの異物（水等）が収納部３に浸入するのを防止できる。
【００３２】
次に、図８に示すように、寸法誤差により、外壁５が、外周側にずれている、あるいは、外側突起２１が内周側にずれている場合を想定する。かかる場合には、外側突起２１は、溝６の底面と圧接し、内側突起２２は、溝６の内側面および底面と圧接する。したがって、上述の携帯電話機１では、３箇所にて携帯電話機１の外側からの水の侵入を防止できる。また、外壁５が外周側にずれている、若しくは、外側突起２１が内周側にずれていることに加えて、寸法誤差により溝６の深さが大きくなり、外側突起２１および内側突起２２が溝６の底面に圧接しない場合にも、少なくとも内側突起２２が溝６の内側面と圧接するため、外部からの異物（水等）が収納部３に浸入するのを防止できる。
【００３３】
このことから、図７および図８のような寸法誤差を生じた場合にも、上述のような携帯電話機１の構成により、携帯電話機１の外側から収納部３への水の浸入を効果的に防止できる。また、外側突起２１と内側突起２２は、それぞれ別に変形する自由度があるため、それらの一方または両方が撓み、内側へ折れ曲がることができる。したがって、上述のような形態電話機１では、外側突起２１および内側突起２２を比較的容易に溝６に収納できる。かかる場合には、外側突起２１および内側突起２２のうち内側へ折れ曲がった方が、溝６の内側面と接することができることから、携帯電話機１の外側から収納部３への異物（水等）の浸入を効果的に防止できる。
【００３４】
また、上述のような携帯電話機１の構成により、シール部材２３は、異なる圧接方向で溝６の内壁に圧接している。そのため、シール部材２３に加えられる圧力が集中しないことから、防水の信頼性を向上できる。
【００３５】
（その他の実施の形態）
以上、本発明のカバー部材およびそれを備える電子機器の好適な実施の形態を説明してきたが、本発明は、上述の各実施の形態に限定されず、種々の変形を施して実施することができる。
【００３６】
例えば、上述の実施の形態では、折り畳みタイプの携帯電話機１を例示したが、折り畳みタイプの携帯電話機１以外の携帯電話機に用いてもよい。さらに、本発明は、携帯電話機１以外の電池を収納するタイプの如何なる電子機器にも応用可能であって、例えば、固定電話機、ホームオーディオ機器、車載用オーディオ機器、カーナビゲーション機器、バッテリーを搭載する電気自動車等の機器にも応用できる。また、上述の実施の形態では、収納部への水の浸入を防止する構造を例示したが、上述の構造では、水以外の液体や埃等の、他の異物を防止することができる。
【００３７】
また、上述の実施の形態では、被収納物として電池２を例示したが、被収納物は、電池２とは限らない。被収納物は、電子機器に脱着可能な物であればどのようなものでもよく、たとえば、メモリーカード等の記録媒体であってもよい。また、上述の実施の形態では、電池２は、薄い略直方体の形態としたが、このような形態に限らない。また、収納部３およびカバー部材１０等の形状は、電池２の形状により変わりうる。
【００３８】
また、上述の実施の形態では、カバー部材１０に支持部材２０を固定するために接着剤を用いているが、このような形態に限らない。カバー部材１０に支持部材２０を固定するために、両面テープを用いてもよいし、あるいは超音波溶着等してもよい。また、カバー部材１０と支持部材２０とは、一体成型されてもよい。また、カバー部材１０と支持部材２０との間に、緩衝材や電磁波吸収材等の部材が組み込まれてもよい。
【００３９】
また、上述の実施の形態では、本体１ａが係止用突起７を有し、カバー部材１０が係止爪１４を有する形態としているが、このような形態に限らない。係止用突起７と係止爪１４との引掛構造以外の構造により、カバー部材１０と本体１ａとが固定されてもよい。たとえば、本体１ａにカバー部材１０をネジ止めしてもよい。
【００４０】
また、上述の実施の形態では、支持部材２０は、突起部として外側突起２１および内側突起２２を有しているが、このような形態に限らない。外側突起２１および内側突起２２の他に、外側突起２１と内側突起２２との間に位置する別の突起部を１つまたは複数有していてもよい。
【００４１】
また、上述の実施の形態では、外側突起２１および内側突起２２の先端および当該先端から連接する側面上方部分のみをシール部材２３にて覆う形状としたが、このような形態に限らない。たとえば、シール部材２３は、外側突起２１および内側突起２２の先端から側面全てを覆ってもよいし、支持部材２０の全部をシール部材２３により覆う形状であってもよい。
【００４２】
また、上述の実施の形態では、シール部材２３は、外側突起２１および内側突起２２の先端および側面において、略均一な厚さとしているが、このような形態に限らない。シール部材２３は、外側突起２１および内側突起２２の先端のみまたは側面のみに設けられてもよいし、厚みを部分的に変化させてもよい。また、溝６の内側面と接するシール部材２３の圧接力は、本体１ａ側へのカバー部材１０の押し込み量によらず一定であるため、溝６の内側面と接触する部分にシール部材２３を設けることで、カバー部材１０の押し込みが不十分であっても防水できる。一方、シール部材２３のうち、外側突起２１の内周面側および内側突起２２の外周面側は、溝６の壁面と接触しないので、その他の部分よりも厚みを薄くしてもよい。
【００４３】
また、上述の実施の形態では、溝６に２本の突起部（すなわち、外側突起４１および内側突起４２）が挿入される形態としているが、このような形態に限らない。たとえば、支持部材２０は、外周に３本以上の突起部を有し、溝６に３本以上の突起部が挿入されてもよい。
【００４４】
また、被覆層２４は、耐異物付着性、滑り性および撥水性のいずれか１つを向上することのできる層、あるいは２以上を向上することのできる層でもよい。
【００４５】
図９は、本発明の変形例に係る携帯電話機４０について、図６のＢと同様の領域を示す拡大断面図である。なお、携帯電話機１と同じ構成要素については、同じ番号を用いて説明する。
【００４６】
図９に示すように、外側突起４１および内側突起４２の長さは、異なっていてもよい。外側突起４１の長さが内側突起４２の長さと比較して短い場合には、外側突起４１は、溝６の内側面に圧接し、内側突起４２は、溝６の底面にて圧接できる。したがって、外側突起４１および内側突起４２は、溝６の内面の計２箇所にて圧接できる。また、カバー部材１０および収納部３にたとえ寸法誤差が生じた場合であっても、外側突起４１又は内側突起４２のいずれか一方で確実に溝６の内面に圧接できる。
【００４７】
なお、外側突起４１および内側突起４２のうちどちらが長くてもよい。しかし、溝６の内部に水が侵入しないようにするため、外側突起４１がその内側面にて溝６の内側面に圧接できるように設計するのがより好ましい。また、外側突起４１および内側突起４２のうち長い方に設けるシール部材２３は、先端部を他の部分よりも厚く形成してもよい。一方、外側突起４１および内側突起４２のうち短い方に設けるシール部材２３は、側面部分を他の部分よりも厚く形成してもよい。
【００４８】
また、溝６は、その深さに対し幅が略同一であると共に、その底面を平滑にしているが、このような形態に限らない。たとえば、溝６は、底面に凹凸あるいは段が形成されていてもよいし、底面が曲面であってもよい。その場合、溝６の形状に合うように、外側突起４１および内側突起４２の各長さを決めると良い。
【００４９】
また、上述の実施の形態および変形例は、互いにそれぞれの特徴を１以上組み合わせても良い。たとえば、長さが異なる外側突起４１および内側突起４２を有するカバー部材１０に、床部が段形状の溝を有する本体を組み合わせてもよい。
【産業上の利用可能性】
【００５０】
本発明は、被収納物の取り外しが可能な電子機器に用いることができる。
【符号の説明】
【００５１】
１，４０    携帯電話機（電子機器の一例）
１ａ        本体
２          電池（被収納物の一例）
３          収納部
６          溝
１０        カバー部材
２０        支持部材
２１，４１  外側突起（突起部の１つ）
２２，４２  内側突起（突起部の１つ）
２３        シール部材
２４        被覆層
【図１】
2012195364.tif 000003
【図２】
2012195364.tif 000004
【図３】
2012195364.tif 000005
【図４】
2012195364.tif 000006
【図５】
2012195364.tif 000007
【図６】
2012195364.tif 000008
【図７】
2012195364.tif 000009
【図８】
2012195364.tif 000010
【図９】
2012195364.tif 000011